(57)【要約】    【課題】  複数の被支持物品を効率良く確実に取り扱うことが可能であると共に、支持盤保持体に保持した支持盤に支持された被支持物品を効率的に確認することができる物品支持器具の提供。    【解決手段】  ４個の支持盤Ｐと、それらを保持し得る支持盤保持体Ｔを備える。支持盤Ｐは、複数個の被支持物品Ｃを端部位置決め部Ｐｂ及び中間位置決め部Ｐｃの間にそれぞれ上向きに支持し得、上方突設の把手部Ｐｄを備える。支持盤保持体Ｔは、長手方向の両内側面Ｔｃに、支持盤Ｐの短手方向幅の水平方向距離を挟んで並列する一対の垂直突条Ｔｄを４対有し、各対の垂直突条Ｔｄ間に、支持盤Ｐを水平方向に並べた状態で且つそれぞれ把手部Ｐｄを把持して上方に取り外すことが可能な状態で保持し得る。【選択図】      図６
2014008350.tif 000002
【特許請求の範囲】
【請求項１】
複数の支持盤と、それらの支持盤を保持し得る支持盤保持体を備えてなり、
前記各支持盤は、複数個の被支持物品を別々の水平方向位置に上向きに支持し得るものであって、前記複数個の被支持物品の支持盤に対する水平方向位置をそれぞれ位置決めする被支持物品位置決め部を有すると共に、上方突設の少なくとも１つの把手部を備え、
前記支持盤保持体は、前記複数の支持盤を、水平方向に並べた状態で且つそれぞれ把手部を把持して上方に取り外すことが可能な状態で保持し得るものであり、支持盤保持体に対する各支持盤の水平方向位置をそれぞれ位置決めする水平方向位置決め部と、各支持盤を上向きに支持する上向き支持部を有することを特徴とする物品支持器具。
【請求項２】
支持盤の平面視形状が帯状である請求項１記載の物品支持器具。
【請求項３】
支持盤保持体が、上方開口の収容凹部を有するものであり、
前記収容凹部が平面視長方形状をなすと共に、支持盤が平面視帯状をなし、支持盤の長手方向寸法が支持盤保持体の収容凹部の平面視における一辺の長さに等しい請求項１又は２記載の物品支持器具。
【請求項４】
被支持物品位置決め部が、支持盤の上側に設けられた上方突起部である請求項１乃至３の何れか１項に記載の物品支持器具。
【請求項５】
上記各支持盤に上向きに支持される被支持物品を備えた請求項１乃至４の何れか１項に記載の物品支持器具。
【請求項６】
上記各支持盤に上向きに支持される被支持物品を備え、
被支持物品位置決め部が、支持盤の上側に設けられた上方突起突起部であり、その上方突起部が、支持盤上に支持された被支持物品の側部に接して被支持物品の水平方向所定向きの移動を阻止するものである請求項１乃至３の何れか１項に記載の物品支持器具。
【請求項７】
支持盤の平面視形状が帯状であり、
上記上方突起部が、支持盤上に支持された被支持物品の側部に接して被支持物品の水平方向における支持盤の長手方向の移動を阻止するものであり、
前記被支持物品は、相対する下方突起部を下側に有し、
支持盤の両側縁部に対し、前記相対する下方突起部がそれぞれ接して被支持物品の水平方向における支持盤の短手方向の移動を阻止するものである請求項６記載の物品支持器具。
【発明の詳細な説明】
【技術分野】
【０００１】
本発明は、入院患者等に配薬する医薬品類を、患者、日、時間帯等毎に、個別に収容する容器又はその他の物品を複数個支持するための物品支持器具に関する。
【背景技術】
【０００２】
与薬対象者に与えるべき医薬品類を収納し、所要の収容什器に収容し得る与薬トレーとして、特開２００７−３０７１０４号公報には、医薬品類を保持する所定個数のケースと、これらケースを収納するトレー本体とを要素とし、前記ケースが、長手方向に沿って略等断面形状をなすように延伸し上方に開放した保持空間を有する基体と、基体の側端部に設けられその保持空間を側方より閉止する側壁と、基体の保持空間内に配置され長手方向に沿って摺動可能な仕切板とを備えてなるものであることを特徴とする与薬トレーが開示されている。
【０００３】
この与薬トレーでは、一日分の与薬を一個のケースにまとめて収納する。このケースが包有する保持空間は、仕切板によって複数の小領域に区切られ、各小領域にそれぞれ一回分の与薬を仕分けして収納できる。その上で、仕切板の移動を通じて、各小領域の容積を拡縮調整することが可能である。このようなものであれば、特定の投薬機会における与薬が顕著に多い場合や、臨時に投薬量を増やす必要が生じた場合にも柔軟に対応し得る。並びに、一日分の与薬だけを取り出して与薬対象者の手の届きやすい場所に置いておくことも容易になる。
【０００４】
この与薬トレーでは、移動し得る仕切板により複数の小領域に区切られた一個のケースに一日分の与薬をまとめて収納して取り扱うことができる。
【０００５】
しかしながら、この与薬トレーでは、ケースごとに取り扱われるため、一個のケースにおける複数の小領域を分離して取り扱うことはできない。
【先行技術文献】
【特許文献】
【０００６】
【特許文献１】特開２００７−３０７１０４号公報
【発明の概要】
【発明が解決しようとする課題】
【０００７】
本発明は、従来技術に存した上記のような課題に鑑み行われたものであって、その目的とするところは、複数の被支持物品を効率良く確実に取り扱うことが可能であると共に、支持された被支持物品を効率的に確認することができる物品支持器具を提供することにある。
【課題を解決するための手段】
【０００８】
(1) 上記目的を達成する本発明の物品支持器具は、
複数の支持盤と、それらの支持盤を保持し得る支持盤保持体を備えてなり、
前記各支持盤は、複数個の被支持物品を別々の水平方向位置に上向きに支持し得るものであって、前記複数個の被支持物品の支持盤に対する水平方向位置をそれぞれ位置決めする被支持物品位置決め部を有すると共に、上方突設の少なくとも１つの把手部を備え、
前記支持盤保持体は、前記複数の支持盤を、水平方向に並べた状態で且つそれぞれ把手部を把持して上方に取り外すことが可能な状態で保持し得るものであり、支持盤保持体に対する各支持盤の水平方向位置をそれぞれ位置決めする水平方向位置決め部と、各支持盤を上向きに支持する上向き支持部を有することを特徴とする。
【０００９】
この物品支持器具においては、支持盤により、複数個の被支持物品を別々の水平方向位置に上向きに支持し、その支持盤を、水平方向に並べた状態で支持盤保持体により保持することができ、また、複数個の被支持物品を支持した状態で支持盤保持体に保持された支持盤を、それぞれ把手部を把持して上方に取り外すことができる。
【００１０】
すなわち、把手部を把持して支持盤を取り扱うことにより、個別に取り扱うことができる複数個の被支持物品を、一括して支持盤保持体に対し保持させることができると共に支持盤保持体から取り出すことができ、また、複数個の被支持物品を別々の水平方向位置に上向きに支持した支持盤を、複数水平方向に並べた状態で支持盤保持体により保持し得るので、被支持物品を効率良く確実に取り扱うことが可能であると共に、支持盤保持体に保持した支持盤に支持された被支持物品を効率的に確認することができる。
【００１１】
(2) 本発明の物品支持器具は、支持盤の平面視形状が帯状であるものとすることができる。
【００１２】
(3) 本発明の物品支持器具は、支持盤保持体が、上方開口の収容凹部を有するものであり、
前記収容凹部が平面視長方形状をなすと共に、支持盤が平面視帯状をなし、支持盤の長手方向寸法が支持盤保持体の収容凹部の平面視における一辺の長さに等しいものとすることができる。
【００１３】
(4) 本発明の物品支持器具は、被支持物品位置決め部が、支持盤の上側に設けられた上方突起部であるものとすることができる。
【００１４】
(5) 本発明の物品支持器具は、上記各支持盤に上向きに支持される被支持物品を備えたものとすることができる。
【００１５】
(6) 本発明の物品支持器具は、上記各支持盤に上向きに支持される被支持物品を備え、
被支持物品位置決め部が、支持盤の上側に設けられた上方突起突起部であり、その上方突起部が、支持盤上に支持された被支持物品の側部に接して被支持物品の水平方向所定向きの移動を阻止するものとすることができる。
【００１６】
(7) 本発明の物品支持器具は、支持盤の平面視形状が帯状であり、
上記上方突起部が、支持盤上に支持された被支持物品の側部に接して被支持物品の水平方向における支持盤の長手方向の移動を阻止するものであり、
前記被支持物品は、相対する下方突起部を下側に有し、
支持盤の両側縁部に対し、前記相対する下方突起部がそれぞれ接して被支持物品の水平方向における支持盤の短手方向の移動を阻止するものとすることができる。
【発明の効果】
【００１７】
本発明の物品支持器具によれば、把手部を把持して支持盤を取り扱うことにより、個別に取り扱うことができる複数個の被支持物品を、一括して支持盤保持体に対し保持させることができると共に支持盤保持体から取り出すことができ、また、複数個の被支持物品を別々の水平方向位置に上向きに支持した支持盤を、複数水平方向に並べた状態で支持盤保持体により保持し得るので、被支持物品を効率良く確実に取り扱うことが可能であると共に、支持盤保持体に保持した支持盤に支持された被支持物品を効率的に確認することができる。
【図面の簡単な説明】
【００１８】
【図１】支持盤に被支持物品が支持された状態の斜視図である。
【図２】支持盤に被支持物品が支持された状態の拡大側面図である。
【図３】支持盤に被支持物品が支持された状態の正面図である。
【図４】支持盤保持体の斜視図である。
【図５】支持盤保持体の平面図である。
【図６】被支持物品が支持された支持盤が支持盤保持体に保持された状態の斜視図である。
【図７】格子状の間仕切りを形成した状態の斜視図である。
【発明を実施するための形態】
【００１９】
[1] 本発明の実施の形態を、図面を参照しつつ説明する。
【００２０】
図面は何れも本発明の物品支持器具の実施の形態の一例についてのものである。
【００２１】
図面に示す物品支持器具は、複数の支持盤Ｐと、それらの支持盤Ｐを保持し得る支持盤保持体Ｔと、間仕切り板Ｗと、各支持盤Ｐに上向きに支持される被支持物品Ｃからなる。
【００２２】
(1) 支持盤
【００２３】
支持盤Ｐは、平面視において細長長方形状をなす水平板状をなす。
【００２４】
支持盤Ｐの下面側には、長手方向の５本の突条Ｐｌが形成されている。そのうち２本の突条Ｐｌは両側縁部Ｐａに１本ずつ形成され、残りの３本の突条Ｐｌはそれらの間にそれらと平行に形成され、５本の突条Ｐｌは支持盤Ｐの短手方向において等間隔状に位置する。
【００２５】
支持盤Ｐの上側の、長手方向における両端部及び両端部間を等間隔に８分割する７箇所に、それぞれ被支持物品を位置決めする端部位置決め部Ｐｂ（被支持物品位置決め部）及び中間位置決め部Ｐｃ（被支持物品位置決め部）を有する。端部位置決め部Ｐｂは、支持盤Ｐの短手方向全幅にわたる短手方向の垂直板であり、中間位置決め部Ｐｃは、支持盤Ｐの短手方向における両端部を除く短手方向の垂直板である。従って、支持盤Ｐは、端部位置決め部Ｐｂ及び中間位置決め部Ｐｃの間の８箇所の水平方向位置に上向きに一列に被支持物品Ｃを支持し得る。
【００２６】
支持盤Ｐの長手方向中央に位置する中間位置決め部Ｐｃには、上方に突出する把手部Ｐｄが併設されている。
【００２７】
支持盤Ｐは、同一のものを４個備える。
【００２８】
(2) 被支持物品
【００２９】
被支持物品Ｃは、前方に下降傾斜し後部を中心に回動開閉する蓋部Ｃａを備えた箱状容器である。
【００３０】
被支持物品Ｃは、その下側における、支持盤Ｐの短手方向幅と同等の前後方向間隔を隔てた前方側と後方側にそれぞれ一対の下方突起部Ｃｂを有する。
【００３１】
被支持物品Ｃが、その下側における前後の下方突起部Ｃｂの間の部分において支持盤Ｐ上に支持された状態において、
支持盤Ｐの短手方向に相対する両側縁部Ｐａに対し、前後の下方突起部Ｃｂがそれぞれ水平方向に近接（接する場合を含む）しており、両側縁部Ｐａに対し前後の下方突起部Ｃｂがそれぞれ水平方向に接することにより、支持盤Ｐの短手方向（被支持物品Ｃの前後方向）における被支持物品Ｃの移動が阻止されると共に、
支持盤Ｐの上側に設けられた端部位置決め部Ｐｂ及び中間位置決め部Ｐｃが、各被支持物品Ｃの両側部に接することにより、各被支持物品Ｃが支持盤Ｐに対し長手方向（被支持物品Ｃの横方向）に移動することが阻止される。
【００３２】
(3) 支持盤保持体
【００３３】
支持盤保持体Ｔは、直方体状をなし平面視長方形状の収容凹部Ｔａを備えた箱状をなし、一対の回動可能な吊り手Ｔｂを有する。
【００３４】
収容凹部Ｔａは、支持盤Ｐを保持し、その支持盤Ｐ上に被支持物品Ｃを支持した状態で、その被支持物品Ｃを収容凹部Ｔａ内に収容し得、被支持物品Ｃは収容凹部Ｔａの上方に突出しない高さのものである。
【００３５】
支持盤保持体Ｔの長手方向の両内側面Ｔｃに、それぞれ、支持盤Ｐの短手方向幅の水平方向距離を挟んで並列する一対の垂直突条Ｔｄが等間隔に４対形成されている。各一対の垂直突条Ｔｄと内側面Ｔｃのうち両垂直突条Ｔｄの間の部分が、支持盤Ｐの長手方向の両端部が嵌合し、支持盤保持体Ｔに対し支持盤Ｐが水平方向に移動することを防いで支持盤保持体Ｔに対する支持盤Ｐの水平方向位置を位置決めする、水平方向位置決め部を構成する。支持盤Ｐの長手方向の両端部は、各一対の垂直突条Ｔｄ間で上下動可能である。
【００３６】
各支持盤Ｐは、下面側の５本の突条Ｐｌにおいて支持盤保持体Ｔの収容凹部Ｔａの平坦な底面Ｔｅ（上向き支持部）により上向きに支持される。
【００３７】
このようにして、支持盤保持体Ｔは、４個の支持盤Ｐを、水平方向に並列に等間隔に並べた状態で且つそれぞれ把手部Ｐｄを把持して上方に取り外すことが可能な状態で保持し得る。
【００３８】
支持盤保持体Ｔの長手方向の両内側面Ｔｃのそれぞれにおける隣接する一対の垂直突条Ｔｄ同士の中間位置に、垂直方向の溝部を構成する間仕切り板支持部Ｔｆが設けられている。支持盤Ｐを支持しない状態において、間仕切り板Ｗを間仕切り板支持部Ｔｆによって支持することにより、格子状の間仕切りを形成することができる。
【００３９】
(4) 支持盤Ｐの上側における隣接中間位置決め部Ｐｃ同士の間又は端部位置決め部Ｐｂと中間位置決め部Ｐｃの間に、被支持物品Ｃの下側における前後の下方突起部Ｃｂの間の部分を支持させることにより、８個までの被支持物品Ｃを支持盤Ｐ上の別々の水平方向位置に上向きに支持することができる。
【００４０】
支持盤保持体Ｔの長手方向の両内側面Ｔｃに形成された一対の垂直突条Ｔｄの間に、各支持盤Ｐの長手方向の両端部をそれぞれ嵌合させ、支持盤Ｐの下面側の突条Ｐｌにおいて支持盤保持体Ｔの収容凹部Ｔａの平坦な底面Ｔｅにより上向きに支持された状態とすることにができる。これにより、４個の支持盤Ｐを、水平方向に並列に等間隔に並べた状態で且つそれぞれ把手部Ｐｄを把持して上方に取り外すことが可能な状態で支持盤保持体Ｔによって保持することができる。支持盤保持体Ｔの収容凹部Ｔａの底面Ｔｅが平坦であることにより、支持盤保持体Ｔの収容凹部Ｔａを容易に清掃又は洗浄し得る。
【００４１】
このように、個別に取り扱うことができる複数個の被支持物品Ｃを支持した支持盤Ｐを、把手部Ｐｄを把持して取り扱うことにより、複数個の被支持物品Ｃを一括して支持盤保持体Ｔに対し保持させることができると共に支持盤保持体Ｔから取り出すことができ、また、複数個の被支持物品Ｃを別々の水平方向位置に上向きに支持した支持盤を、複数水平方向に並べた状態で支持盤保持体Ｔにより保持し得る。
【００４２】
[2] 本発明の実施の形態を、上記以外の形態を含めて更に説明する
【００４３】
本発明の物品支持器具は、支持盤と、それらの支持盤を保持し得る支持盤保持体を備えてなる。
【００４４】
(1) 支持盤
【００４５】
(1-1) 支持盤は、板状とすることができるほか、例えば枠状又は格子状とすることもできる。
【００４６】
(1-2) 支持盤は、水平状をなすもの（多少の高低があることを妨げない）であることが好ましい。
【００４７】
(1-3) 支持盤の平面視形状は、帯状、特に長方形状であることが好ましい（より好ましくは細長長方形状）が、これに限るものではない。
【００４８】
(1-4) 各支持盤は、複数個（好ましくは３個以上）の被支持物品を別々の水平方向位置に上向きに支持し得るものであって、複数個の被支持物品の支持盤に対する水平方向位置をそれぞれ位置決めする被支持物品位置決め部を有する。
【００４９】
(1-4-1) 被支持物品位置決め部は、例えば、
支持盤の上側に設けられた上方突起の突条若しくはその他の突起部であって、
(i) 支持盤上に支持された被支持物品の側部に接して被支持物品の水平方向所定向きの移動を阻止するもの、
(ii) 支持盤上に支持される被支持物品がその下側に下方突起の突条若しくはその他の突起部を有する場合に被支持物品の突条若しくは突起部に接して被支持物品の水平方向所定向きの移動を阻止するもの、又は、
(iii) 支持盤上に支持される被支持物品がその下側に下方開口の溝部又はその他の凹部（貫通孔を含む）を有する場合にそれらに嵌合するもの、
或いは、
支持盤上に支持される被支持物品がその下側に下方突起の突条若しくはその他の突起部を有する場合に、
(iv) 支持盤の縁部に対し、前記突条又は突起部が接して被支持物品の水平方向所定向きの移動を阻止するもの、又は、
(v) 支持盤の上側おいてその突条若しくはその他の突起部が嵌合し得る溝部若しくはその他の凹部（貫通孔を含む）
などを挙げることができる。
【００５０】
(1-4-2) 被支持物品位置決め部は、１若しくは２種又はそれ以上を組み合わせてなるものとすることができる。すなわち、支持盤に対する被支持物品の水平方向位置の位置決めは、被支持物品位置決め部の上記(i)乃至(v)の例又はその他の例のうち１若しくは２種又はそれ以上を組み合わせて行うものとすることができる。
【００５１】
例えば、所定方向及びその直交方向においてそれぞれ上記(i)及び(iv)の例により支持盤に対する被支持物品の水平方向位置の位置決めが行われるものとすることができる。
【００５２】
より具体的には、
支持盤上に支持される被支持物品が、その下側における所定の水平方向一方側と他方側に下方突起の突条若しくはその他の突起部を有する場合に、
その被支持物品が支持盤上に支持された状態において、
支持盤の相対する両縁部（例えば支持盤が細長長方形状の水平板状をなすものである場合における相対する両長手方向縁部）に対し、前記突条又は突起部がそれぞれ接して、前記所定の水平方向における被支持物品の移動が阻止されると共に、
支持盤の上側に設けられた上方突起の突条若しくはその他の突起部が、前記被支持物品の側部に接することにより、被支持物品が支持盤に対し前記所定の水平方向に直交する水平方向所定向きに移動することを阻止するものを挙げることができる。
【００５３】
この場合の支持盤の上側に設ける突条若しくはその他の突起部は、支持盤上に支持された被支持物品の相対する両側部について、それぞれ接する突条若しくはその他の突起部を設けることができる他、被支持物品の一方の側部に接する突条若しくはその他の突起部のみを設け、被支持物品の他方の側部については、例えば支持盤保持体の一部に接するものとすることができる。
【００５４】
支持盤上に支持された被支持物品の相対する両側部にそれぞれ接する突条若しくはその他の突起部が設けられている場合、一方の側部に接する突条若しくはその他の突起部と他方の側部に接する突条若しくはその他の突起部の間において、支持盤の上側における前記所定の水平方向の両縁部及び両縁部の間に突条若しくはその他の突起部を有しないものであれば、支持盤の上側を容易に清掃又は洗浄し得る。
【００５５】
(1-4-3) 各支持盤に対し被支持物品位置決め部により水平方向位置が位置決めされた複数個の被支持物品は、その支持盤上に１列に並んだ状態で支持されるものであることが好ましいが、支持盤上に２列に並んだ状態で支持されるものや、その他の状態で支持されるものとすることもできる。
【００５６】
(1-5) 各支持盤は、上方突設の少なくとも１つの把手部を備える。被支持物品を支持盤上に支持し、把手部を把持して持ち上げることにより、支持盤と共に支持盤上の被支持物品を持ち上げて移動させることができる。
【００５７】
(1-6) 各支持盤は、下側に下方に突起する突条又はその他の突部を有するものとすることができる。
【００５８】
(1-7) 支持盤は、複数有する。好ましくは３以上である。支持盤保持体により保持される複数の全ての支持盤は、何れも、水平方向位置決め部により位置決めされ得る形状であるもの、すなわちこの点で共通性を有するものであることが好ましい。支持盤保持体により保持される複数の全ての支持盤が同一形状であることが、より好ましい。
【００５９】
(2) 支持盤保持体
【００６０】
(2-1) 支持盤保持体は、例えば、容器状（箱状、かご状等）又はトレイ状若しくは盆状等の上方開口の収容凹部を有するものの他、平板状、格子板状、網板状、波板状等の板状をなすものとすることができ、更に、別の収容保持体（例えばワゴン）に複数の支持盤保持体を収容保持し得るものとすることができる。
【００６１】
上方開口の収容凹部を有する支持盤保持体は、その収容凹部が平面視方形状をなすもの、例えば直方体状をなすものであることが好ましい。また、支持盤保持体の収容凹部の底面は、突条等の凹凸を有しない平坦なものである場合、容易に清掃又は洗浄し得るので好ましい。
【００６２】
また、上方開口の収容凹部を有する支持盤保持体は、収容凹部内に支持盤を保持し、その支持盤上に被支持物品を支持した状態でその被支持物品を収容凹部内に収容し得、被支持物品が上方に突出しない高さのものであることが好ましい。
【００６３】
(2-2) 支持盤保持体は、複数の支持盤を、水平方向に並べた状態で且つそれぞれ把手部を把持して上方に取り外すことが可能な状態で保持し得るものである。
【００６４】
上方開口の収容凹部を有する支持盤保持体の場合、複数の支持盤を、水平方向に並べた状態で且つそれぞれ把手部を把持して上方に取り外して取り出すことが可能な状態で保持し得るものとすることができる。
【００６５】
(2-2-1) 複数の支持盤を水平方向に並べた状態としては、例えば、支持盤を水平方向において一列に並列させた状態（より具体的には、平面視長方形状の支持盤を短手方向に平行状に一列に並列させた状態））が好ましい例であるが、例えば、支持盤を水平方向において複数列に並列したものとすることもできる。
【００６６】
支持盤保持体において水平方向に並列した状態で保持された複数の支持盤同士の間の全部又は部分には水平方向の間隔を有するものとすることができる。
【００６７】
(2-2-2) 支持盤保持体に対する各支持盤の水平方向位置をそれぞれ位置決めする水平方向位置決め部としては、
各支持盤が、その一定方向における両端部（例えば一定方向における両端の角部又は湾曲部。より具体的には例えば支持盤が平面視長方形状である場合における長手方向両端の両角部。）において嵌合することにより、支持盤保持体に対し各支持盤が水平方向に移動することを防ぐもの、
各支持盤が１又は２以上の下方凸部を有し、その下方凸部が支持盤保持体に形成された凹部（貫通部を含む）に嵌合することにより支持盤保持体に対し各支持盤が水平方向に移動することを防ぐもの、
各支持盤が１又は２以上の凹部（貫通部を含む）を有し、その凹部に、支持盤保持体に形成された凸部が嵌合することにより支持盤保持体に対し各支持盤が水平方向に移動することを防ぐもの
等を例示することができる。
【００６８】
(2-2-3) 各支持盤を上向きに支持する上向き支持部としては、例えば、
各支持盤の下側が水平面若しくは水平面に沿った形状である場合に、その各支持盤の下側を全面的に上向きに支持する水平面を上側に有する水平板状若しくはその他の形態の部分、又は、各支持盤の下側を部分的に上向きに支持する上向き凸部、
或いは、
各支持盤の下側が凹凸を有する形状である場合に、その各支持盤の下側を部分的に上向きに支持する水平面を上側に有する水平板状若しくはその他の形態の部分、又は、各支持盤の下側を部分的に上向きに支持する上向き凸部
等を挙げることができる。
【００６９】
(2-2-4) 支持盤保持体により支持盤が保持された状態において、一定方向における支持盤の両端位置と支持盤保持体の両端位置（例えば、上方開口の収容凹部を有する支持盤保持体の収容凹部内の一定方向における両端位置）は対応するものとすることが好ましいが、必ずしもこれに限るものではない。
【００７０】
好ましい例としては、支持盤保持体の収容凹部が平面視長方形状（より好ましくは直方体状）をなすと共に、支持盤が平面視長方形状をなし、支持盤の長手方向寸法が支持盤保持体の収容凹部の平面視における一辺の長さに等しい場合を挙げることができる。
【００７１】
(2-2-5) 支持盤保持体は、間仕切り板を支持する間仕切り板支持部を備えるものとすることができる。
【００７２】
この場合、間仕切り板を間仕切り板支持部によって支持することにより、間仕切り（例えば格子状の間仕切り）を形成することができる。
【００７３】
(3) 被支持物品
【００７４】
被支持物品は、１つの支持盤における別々の水平方向位置に上向きに複数個支持され得る。
【００７５】
被支持物品は、容器（例えば、合成樹脂容器、紙箱等）であることが好ましく、開閉蓋付き容器とすることもできるが、容器に限るものではない。
【００７６】
被支持物品は、その下側に、下方突起の突条若しくはその他の突起部を有するものとすることや、下方開口の溝部又はその他の凹部（貫通孔を含む）を有するものとすることができるが、これに限るものではない。
【符号の説明】
【００７７】
Ｃ      被支持物品
Ｃａ    蓋部
Ｃｂ    下方突起部
Ｐ      支持盤
Ｐａ    側縁部
Ｐｂ    端部位置決め部
Ｐｃ    中間位置決め部
Ｐｄ    把手部
Ｐｌ    突条
Ｔ      支持盤保持体
Ｔａ    収容凹部
Ｔｂ    吊り手
Ｔｃ    内側面
Ｔｄ    垂直突条
Ｔｅ    底面
Ｔｆ    間仕切り板支持部
Ｗ      間仕切り板
【図１】
2014008350.tif 000003
【図２】
2014008350.tif 000004
【図３】
2014008350.tif 000005
【図４】
2014008350.tif 000006
【図５】
2014008350.tif 000007
【図６】
2014008350.tif 000008
【図７】
2014008350.tif 000009